【手続補正書】
【提出日】平成22年2月19日(2010.2.19)
【手続補正１】
【補正対象書類名】明細書
【補正対象項目名】０００９
【補正方法】変更
【補正の内容】
【０００９】
上記目的を達成するため、本発明は、ディジタルコンテンツを構成するＴＳパケットを受信し、受信したＴＳパケットをデマックスしてＰＥＳを得て、再生するディジタルコンテンツ再生記録装置であって、上記受信したＴＳパケットのデマックスおよび当該デマックスにより得たＰＥＳの再生と並行して、当該デマックスにより得たＰＥＳに含まれる時間情報を付加して上記受信したＴＳパケットを順次保存していく記録手段と、外部から再生指示として過去の時間情報を取得し、上記保存されているＴＳパケットの中から、当該取得した時間情報に対応するＴＳパケットを読み出し、当該読み出したＴＳパケットをデマックスしてＰＥＳを得て再生する再生手段とを備え、上記記録手段は、上記再生手段が外部から上記過去の時間情報として受付け得る遡及時間の最小単位時間ごとにＴＳパケットをまとめ、当該まとめたＴＳパケットに対して一つの時間情報を付加して保存する構成としてある。
【手続補正２】
【補正対象書類名】明細書
【補正対象項目名】００１１
【補正方法】変更
【補正の内容】
【００１１】
すなわち、過去の所望の時間の再生を行なうに際して、その時間さえ特定されれば、直にその時間のＴＳパケットを読み出すことができ、トライアンドエラーを繰り返す必要はない。
また、本発明では、上記ＴＳパケットを順次保存していく際には、複数のＴＳパケットをまとめて保存する。
さらに、本発明では、受信したＴＳパケットを順次バッファリングし、バッファリングしたＴＳパケットを保存する。
さらに、本発明では、複数のＴＳパケットをまとめ、一つの時間情報を含めて保存する。
さらに、本発明では、所定の単位時間分だけまとめてから保存する。
さらに、本発明は、上記ディジタルコンテンツ再生記録装置における処理方法として作用し、また、プログラムとしてコンピュータに同様の機能を実現させる。
【手続補正３】
【補正対象書類名】明細書
【補正対象項目名】００１２
【補正方法】変更
【補正の内容】
【００１２】
さらに、本発明では、ディジタルコンテンツを構成するＴＳパケットを受信しつつ記録するディジタルコンテンツ記録装置であって、上記受信したＴＳパケットをデマックスしてＰＥＳを得て、同ＰＥＳに含まれる時間情報を付加して上記受信したＴＳパケットを順次保存していく際に、外部から過去のコンテンツの再生指示として受付け得る遡及時間の最小単位時間ごとにＴＳパケットをまとめ、当該まとめたＴＳパケットに対して一つの時間情報を付加して保存する構成としてある。すなわち、再生を切り離すことを前提として、記録装置だけとしても提供可能である。
さらに、本発明では、ディジタルデータ受信手段がディジタルコンテンツを構成するＴＳパケットを受信すると、デマックス手段は同ＴＳパケットをデマックスして少なくとも映像と音声のＰＥＳを抽出し、映像音声信号デコード手段が映像のＰＥＳに基づいてデコードして映像信号を得るとともに、音声のＰＥＳに基づいてデコードして音声信号を得て、互いに同期した映像信号と音声信号とを出力する。
【手続補正４】
【補正対象書類名】明細書
【補正対象項目名】００１３
【補正方法】変更
【補正の内容】
【００１３】
一方、ＴＳパケットバッファリング手段は、上記受信したＴＳパケットをバッファリングし、ＴＳパケット保存手段が、上記ＰＥＳに基づいて時間情報を抽出すると共に、同抽出した時間情報を上記バッファリングしたＴＳパケットの内容と共に保存する。
そして、ＴＳパケット読出手段は、外部から再生指示として過去の時間情報を取得し、上記保存されているＴＳパケットの中から、当該取得した時間情報に対応するＴＳパケットを読み出し、当該読み出したＴＳパケットを上記デマックス手段に供給する。
上記ＴＳパケット保存手段は、上記ＴＳパケット読出手段が外部から上記過去の時間情報として受付け得る遡及時間の最小単位時間ごとにＴＳパケットをまとめ、当該まとめたＴＳパケットに対して一つの時間情報を付加して保存する。
このように、ＴＳパケットに時間情報を付加して保存する手法は必ずしも実体のある装置に限られる必要はなく、その方法としても機能することは容易に理解できる。すなわち、必ずしも実体のある装置に限らず、その方法としても有効であることに相違はない。
ところで、このようなディジタルコンテンツ再生記録装置は単独で存在する場合もあるし、ある機器に組み込まれた状態で利用されることもあるなど、発明の思想としてはこれに限らず、各種の態様を含むものである。従って、ソフトウェアであったりハードウェアであったりするなど、適宜、変更可能である。
【手続補正５】
【補正対象書類名】明細書
【補正対象項目名】００１４
【補正方法】変更
【補正の内容】
【００１４】
発明の思想の具現化例としてディジタルコンテンツ再生記録装置のソフトウェアとなる場合には、かかるソフトウェアを記録した記録媒体上においても当然に存在し、利用されるといわざるをえない。
その一例として、本発明は、かかるディジタルコンテンツ再生記録プログラムを記録した媒体としての発明を開示している。
むろん、その記録媒体は、磁気記録媒体であってもよいし光磁気記録媒体であってもよいし、今後開発されるいかなる記録媒体においても全く同様に考えることができる。また、一次複製品、二次複製品などの複製段階については全く問う余地無く同等である。その他、供給方法として通信回線を利用して行なう場合でも本発明が利用されていることにはかわりない。
【手続補正６】
【補正対象書類名】明細書
【補正対象項目名】００１８
【補正方法】変更
【補正の内容】
【００１８】
また、本発明によれば、複数のＴＳパケットをまとめて保存することで保存の処理にかかる負荷を低減できる。
さらに、本発明によれば、受信したＴＳパケットを順次バッファリングすることで、自ずと複数のＴＳパケットがまとめられていき、バッファリングしたＴＳパケットを保存することで、まとめて保存する処理を低減できる。また、誤りのあったＴＳパケットはバッファの中で削除して誤りのないＴＳパケットだけをバッファに残して保存するということも可能となる。
【手続補正７】
【補正対象書類名】明細書
【補正対象項目名】００１９
【補正方法】変更
【補正の内容】
【００１９】
さらに、本発明によれば、複数のＴＳパケットをまとめ、一つの時間情報を含めて保存するので、個別のＴＳパケットに個別の時間情報を付加する処理を低減できる。
さらに、本発明によれば、まとめて保存する単位として、所定の単位時間分だけまとめてから保存するので、必要な精度に見合うようた単位時間分をまとめることで、細かすぎたり大まかすぎたりするということがなくなり、所望のＴＳパケットを容易に見つけ出すことが可能となる。
【手続補正８】
【補正対象書類名】明細書
【補正対象項目名】００２０
【補正方法】変更
【補正の内容】
【００２０】
さらに、本発明によれば、同様の効果を奏する方法としての発明を提供することができ、また、プログラムを記録した媒体を提供することができる。
さらに、本発明によれば、少なくとも記録時にこのようにしておくことで他の手段で再生するときにも容易に上述した効果を奏することができる。
さらに、より構成要件を具体化した本発明においても、同様の効果を奏することができる。
【手続補正９】
【補正対象書類名】明細書
【補正対象項目名】００２７
【補正方法】変更
【補正の内容】
【００２７】
また、再生手段は、過去における所望の時間の再生を行なうに際して上記ＴＳパケットに付加された時間情報に基づいて該当するＴＳパケットを特定してから再生を行うものであり、上述したＴＳパケット読出手段Ｆ、デマックス手段Ｂ、ＴＳパケット保存手段Ｅ、映像音声信号デコード手段Ｃが相当する。
むろん、かかる構成において実現される方法がディジタルコンテンツ再生記録方法であり、かかる方法をコンピュータに実現させるためにディジタルコンテンツ再生記録プログラムを記録した媒体が必要となる。なお、再生機能を切り離すことでディジタルコンテンツ記録装置としても実現可能である。
【手続補正１０】
【補正対象書類名】特許請求の範囲
【補正対象項目名】全文
【補正方法】変更
【補正の内容】
【特許請求の範囲】
【請求項１】
ディジタルコンテンツを構成するＴＳパケットを受信し、受信したＴＳパケットをデマックスしてＰＥＳを得て、再生するディジタルコンテンツ再生記録装置であって、
上記受信したＴＳパケットのデマックスおよび当該デマックスにより得たＰＥＳの再生と並行して、当該デマックスにより得たＰＥＳに含まれる時間情報を付加して上記受信したＴＳパケットを順次保存していく記録手段と、
外部から再生指示として過去の時間情報を取得し、上記保存されているＴＳパケットの中から、当該取得した時間情報に対応するＴＳパケットを読み出し、当該読み出したＴＳパケットをデマックスしてＰＥＳを得て再生する再生手段とを備え、
上記記録手段は、上記再生手段が外部から上記過去の時間情報として受付け得る遡及時間の最小単位時間ごとにＴＳパケットをまとめ、当該まとめたＴＳパケットに対して一つの時間情報を付加して保存することを特徴とするディジタルコンテンツ再生記録装置。
【請求項２】
受信したＴＳパケットを順次バッファリングし、バッファリングしたＴＳパケットを保存することを特徴とする上記請求項１に記載のディジタルコンテンツ再生記録装置。
【請求項３】
ディジタルコンテンツを構成するＴＳパケットを受信し、受信したＴＳパケットをデマックスしてＰＥＳを得て、再生するディジタルコンテンツ再生記録方法であって、
上記受信したＴＳパケットのデマックスおよび当該デマックスにより得たＰＥＳの再生と並行して、当該デマックスにより得たＰＥＳに含まれる時間情報を付加して上記受信したＴＳパケットを順次保存していく記録工程と、
外部から再生指示として過去の時間情報を取得し、上記保存されているＴＳパケットの中から、当該取得した時間情報に対応するＴＳパケットを読み出し、当該読み出したＴＳパケットをデマックスしてＰＥＳを得て再生する再生工程とを備え、
上記記録工程では、上記再生工程において外部から上記過去の時間情報として受付け得る遡及時間の最小単位時間ごとにＴＳパケットをまとめ、当該まとめたＴＳパケットに対して一つの時間情報を付加して保存することを特徴とするディジタルコンテンツ再生記録方法。
【請求項４】
ディジタルコンテンツを構成するＴＳパケットを受信し、受信したＴＳパケットをデマックスしてＰＥＳを得て、再生する機能をコンピュータに実現させるディジタルコンテンツ再生記録プログラムを記録した媒体であって、
上記受信したＴＳパケットのデマックスおよび当該デマックスにより得たＰＥＳの再生と並行して、当該デマックスにより得たＰＥＳに含まれる時間情報を付加して上記受信したＴＳパケットを順次保存していく記録機能と、
外部から再生指示として過去の時間情報を取得し、上記保存されているＴＳパケットの中から、当該取得した時間情報に対応するＴＳパケットを読み出し、当該読み出したＴＳパケットをデマックスしてＰＥＳを得て再生する再生機能とをコンピュータに実現させ、
上記記録機能は、上記再生機能が外部から上記過去の時間情報として受付け得る遡及時間の最小単位時間ごとにＴＳパケットをまとめ、当該まとめたＴＳパケットに対して一つの時間情報を付加して保存することを特徴とするディジタルコンテンツ再生記録プログラムを記録した媒体。
【請求項５】
ディジタルコンテンツを構成するＴＳパケットを受信しつつ記録するディジタルコンテンツ記録装置であって、
上記受信したＴＳパケットをデマックスしてＰＥＳを得て、同ＰＥＳに含まれる時間情報を付加して上記受信したＴＳパケットを順次保存していく際に、外部から過去のコンテンツの再生指示として受付け得る遡及時間の最小単位時間ごとにＴＳパケットをまとめ、当該まとめたＴＳパケットに対して一つの時間情報を付加して保存することを特徴とするディジタルコンテンツ記録装置。
【請求項６】
ディジタルコンテンツを構成するＴＳパケットを受信するディジタルデータ受信手段と、
同ＴＳパケットをデマックスして少なくとも映像と音声のＰＥＳを抽出するデマックス手段と、
映像のＰＥＳに基づいてデコードして映像信号を得るとともに、音声のＰＥＳに基づいてデコードして音声信号を得て、互いに同期した映像信号と音声信号とを出力する映像音声信号デコード手段と、
上記受信したＴＳパケットをバッファリングするＴＳパケットバッファリング手段と、
上記ＰＥＳに基づいて時間情報を抽出すると共に、同抽出した時間情報を上記バッファリングしたＴＳパケットの内容と共に保存するＴＳパケット保存手段と、
外部から再生指示として過去の時間情報を取得し、上記保存されているＴＳパケットの中から、当該取得した時間情報に対応するＴＳパケットを読み出し、当該読み出したＴＳパケットを上記デマックス手段に供給するＴＳパケット読出手段とを具備し、
上記ＴＳパケット保存手段は、上記ＴＳパケット読出手段が外部から上記過去の時間情報として受付け得る遡及時間の最小単位時間ごとにＴＳパケットをまとめ、当該まとめたＴＳパケットに対して一つの時間情報を付加して保存することを特徴とするディジタルコンテンツ再生記録装置。